(57)【要約】【課題】複数の操作キーのうちの一部の操作キーのみの照光を実現でき、また、一部の操作キーの照光と他の操作キーの照光との照光タイミングをずらすことができ、また、一部の操作キーに対する照光色と他の操作キーに対する照光色を変えることができる。【解決手段】ＬＥＤ２Ａ，２Ｂ，２Ｃと、可撓性導光板６とを含み、この可撓性導光板６の側端面から入射されたＬＥＤ２Ａ，２Ｂ，２Ｃの光を操作キー３Ａ，３Ｂ，３Ｃの底面のそれぞれに照射するスイッチ用照光部材であって、可撓性導光板６は、複数の分割部分６Ａ，６Ｂ，６Ｃから成り、これらの分割部分６Ａ，６Ｂ，６Ｃのそれぞれに対応させてＬＥＤ２Ａ，２Ｂ，２Ｃを配置するとともに、隣り合う前記分割部分６Ａと６Ｂ、及び分割部分６Ａと６Ｃの境界に、ＬＥＤ２Ａ，２Ｂ，２Ｃの光をそれぞれ反射する遮光部、例えば切断部２０，２１を設けた構成にしてある。【選択図】図１
2009117233.tif 000002
【特許請求の範囲】
【請求項１】
光源と、複数のスイッチ素子が配設される基板と前記スイッチ素子を押圧可能な複数の操作キーとの間に介設される可撓性導光板とを含み、
この可撓性導光板の側端面から入射された前記光源の光を前記操作キーの底面のそれぞれに照射するスイッチ用照光部材であって、
前記可撓性導光板は、複数の分割部分から成り、
これらの分割部分のそれぞれに対応させて前記光源を配置するとともに、
隣り合う前記分割部分の境界に、前記光源の光を反射する遮光部を設けたことを特徴とするスイッチ用照光部材。
【請求項２】
前記請求項１記載のスイッチ用照光部材において、
前記遮光部が、隣り合う前記分割部分を分離する切断部から成ることを特徴とするスイッチ用照光部材。
【請求項３】
前記請求項１記載のスイッチ用照光部材において、
前記遮光部が、隣り合う前記分割部分を接続状態に保持するクリアランスから成ることを特徴とするスイッチ用照光部材。
【請求項４】
前記請求項３記載のスイッチ用照光部材において、
前記クリアランスは、隙間を介して部分的に重複する複数のクリアランスから成ることを特徴とするスイッチ用照光部材。
【請求項５】
前記請求項１項記載のスイッチ用照光部材において、
前記光源の光の入射方向が、前記遮光部の延設方向と平行となるように前記光源を配置したことを特徴とするスイッチ用照光部材。
【請求項６】
前記請求項１項記載のスイッチ用照光部材において、
前記分割部分に、前記光源の光の入射方向に対して臨界角以下の傾きを持つ傾斜部を形成したことを特徴とするスイッチ用照光部材。
【請求項７】
基板と、この基板上に実装された光源と、前記基板上に設けた複数の固定接点と、これらの固定接点群に接離可能な複数の可動接点と、これらの可動接点を保持する可撓性シートと、前記可動接点のそれぞれに押圧力を付与可能な複数の操作キーと、これらの操作キーと前記可撓性シートとの間に配置され、前記操作キーの底面のそれぞれに臨む照光部を有する可撓性導光板とを備え、
前記光源と前記可撓性導光板とが、可撓性導光板の側端面から入射される前記光源の光を、この可撓性導光板の前記照光部を介して前記複数の操作キーの底面のそれぞれに照射するスイッチ用照光部材の構成要素であるスイッチ用照光部材を有するスイッチ装置にあって、
前記可撓性導光板は、それぞれ前記照光部を有する分割部分から成り、
これらの分割部分のそれぞれに対応させて前記光源を配置するとともに、
隣り合う分割部分の境界に、前記光源の光を反射可能な遮光部を設けたことを特徴とするスイッチ用照光部材を有するスイッチ装置。
【発明の詳細な説明】
【技術分野】
【０００１】
本発明は、携帯電話の入力部等に活用され、光源と、この光源の光を複数の操作キーの底面のそれぞれに照射可能な可撓性導光板とを含むスイッチ用照光部材、及びスイッチ用照光部材を有するスイッチ装置に関する。
【背景技術】
【０００２】
この種の従来技術として、特許文献１に示されるものがある。この従来技術は、基板上にスイッチ素子を設け、これらのスイッチ素子の上に可撓性導光板を配置し、この可撓性導光板の側面に、可撓性導光板の幅寸法と同等の長さ寸法を有する光源を設け、可撓性導光板の上に複数の操作キーを有するキーパッドを配置した構成にしてある。
【０００３】
この従来技術では、操作キーを押し操作することにより、可撓性導光板を介して対応するスイッチ素子が押圧されてスイッチオンとなり、操作キーの押し操作を止めることにより該当するスイッチ素子の押圧が解除されてスイッチオフとなる。
【０００４】
なお、光源と、可撓性導光板とによってスイッチ用照光部材が構成されている。すなわち、光源の光が可撓性導光板の側端面から可撓性導光板に入射され、この可撓性導光板に導かれた光が操作キーの底面のそれぞれに照射され、これによって操作キーを照光するようになっている。
【特許文献１】特開２００１−１６７６５５公報
【発明の開示】
【発明が解決しようとする課題】
【０００５】
昨今、複数の操作キーのうちの一部の操作キーのみを照光させたり、一部の操作キーの照光と他の操作キーの照光との照光タイミングをずらしたりすることが要望されている。前述した従来技術では、光源からの光が可撓性導光板に導かれることによって全ての操作キーが照光されるようになっているので、前述のような要望に応えることはできなかった。また、一部の操作キーに対する照光色と他の操作キーに対する照光色を変えたい要望もあるが、前述した従来技術では、このような要望に対しても応えることができなかった。
【０００６】
本発明は、前述した従来技術における実状からなされたもので、その目的は、複数の操作キーのうちの一部の操作キーのみの照光を実現させることができ、また、一部の操作キーの照光と他の操作キーの照光との照光タイミングをずらすことができ、また、一部の操作キーに対する照光色と他の操作キーに対する照光色を変えることができるキースイッチ用照光部材、及びスイッチ用照光部材を有するスイッチ装置を提供することにある。
【課題を解決するための手段】
【０００７】
前記目的を達成するために、本発明に係るスイッチ用照光部材は、光源と、複数のスイッチ素子が配設される基板と前記スイッチ素子を押圧可能な複数の操作キーとの間に介設される可撓性導光板とを含み、この可撓性導光板の側端面から入射された前記光源の光を前記操作キーの底面のそれぞれに照射するスイッチ用照光部材であって、前記可撓性導光板は、複数の分割部分から成り、これらの分割部分のそれぞれに対応させて前記光源を配置するとともに、隣り合う前記分割部分の境界に、前記光源の光を反射する遮光部を設けたことを特徴としている。
【０００８】
このように構成した本発明に係るスイッチ用照光部材は、分割部分のそれぞれに対応させて配置した光源の光を、遮光部によって反射させて個別に分割部分のそれぞれに入射させることができる。すなわち、分割部分毎に設けた光源の光を、該当する分割部分に導き、その分割部分に対応する操作キーの底面を他の分割部分に対応する操作キーの底面とは独立させて照光し、操作キーのそれぞれに対する照光分離を実現させることができる。
【０００９】
したがって例えば、可撓性導光板の複数の分割部分のうちの一部の分割部分に係る光源のみを作動させることによって、複数の操作キーのうちの前述の一部の分割部分に対応する一部の操作キーのみの照光を実現させることができる。また、一部の分割部分に係る光源の照光と他の分割部分の照光との照光タイミングをずらすことによって、一部の分割部分に対応する一部の操作キーの照光と、他の分割部分に対応する他の操作キーの照光との照光タイミングをずらすことができる。さらに、一部の分割部分に係る光源の照光色と他の分割部分に係る光源の照光色を変えることにより、一部の操作キーに対する照光色と他の操作キーに対する照光色を変えることができる。
【００１０】
また、本発明に係るスイッチ用照光部材は、前記のスイッチ用照光部材において、前記遮光部が、隣り合う前記分割部分を分離する切断部から成ることを特徴としている。このように構成した本発明は、切断部によって隣り合う分割部分どうしが分離されるので、該当する分割部分に係る光源の光を自己の分割部分に導くことができるとともに、隣り合う分割部分に係る光源の光が自己の分割部分に導かれないように確実に遮断することができる。また逆に、他の分割部分に係る光源の光を該当する他の分割部分に導くことができるとともに、隣り合う分割部分に係る光源の光が該当する他の分割部分に導かれないように確実に遮断することができる。これらにより、複数の分割部分のそれぞれに対応する操作キーのそれぞれにおける照光分離を確実に実現させることができる。
【００１１】
また、本発明に係るスイッチ用照光部材は、前記のスイッチ用照光部材において、前記遮光部が、隣り合う前記分割部分を接続状態に保持するクリアランスから成ることを特徴としている。このように構成した本発明は、クリアランスの内部に形成される空気層によって、隣り合う分割部分どうしが分割されるので、複数の分割部分のそれぞれに対応する操作キーのそれぞれにおける照光分離を実現させることができる。また、クリアランスを設けてあるものの隣り合う分割部分は接続状態に保たれるので、これらの分割部分を含む可撓性導光板の取り扱いを簡単に行なうことができる。
【００１２】
また、本発明に係るスイッチ用照光部材は、前記のスイッチ用照光部材において、前記クリアランスは、隙間を介して部分的に重複する複数のクリアランスから成ることを特徴としている。このように構成した本発明は、重複するクリアランスの部分に分割部分の一部を隙間として存在させることができ、これによってクリアランスの形成に伴う可撓性導光板の強度低下を抑えることができる。
【００１３】
また、本発明に係るスイッチ用照光部材は、前記のスイッチ用照光部材において、前記光源の光の入射方向が、前記遮光部の延設方向と平行となるように前記光源を配置したことを特徴としている。このように構成した本発明は、該当する分割部分に係る光源の光を該当する分割部分に精度良く入射させることができ、操作キーに対する優れた照光機能を確保できる。
【００１４】
また、本発明に係るスイッチ用照光部材は、前記のスイッチ用照光部材において、前記分割部分に、前記光源の光の入射方向に対して臨界角以下の傾きを持つ傾斜部を形成したことを特徴としている。このように構成した本発明は、光源の光が傾斜部においても全反射するので、操作キーに対する優れた照光機能を確保できるとともに、このように分割部分に傾斜部を設けることができることから、分割部分の形状設定に対する自由度を高めることができる。
【００１５】
また、前記目的を達成するために、本発明に係るスイッチ用照光部材を有するスイッチ装置は、基板と、この基板上に実装された光源と、前記基板上に設けた複数の固定接点と、これらの固定接点群に接離可能な複数の可動接点と、これらの可動接点を保持する可撓性シートと、前記可動接点のそれぞれに押圧力を付与可能な複数の操作キーと、これらの操作キーと前記可撓性シートとの間に配置され、前記操作キーの底面のそれぞれに臨む照光部を有する可撓性導光板とを備え、前記光源と前記可撓性導光板とが、可撓性導光板の側端面から入射される前記光源の光を、この可撓性導光板の前記照光部を介して前記複数の操作キーの底面のそれぞれに照射するスイッチ用照光部材の構成要素であるスイッチ用照光部材を有するスイッチ装置にあって、前記可撓性導光板は、それぞれ前記照光部を有する分割部分から成り、これらの分割部分のそれぞれに対応させて前記光源を配置するとともに、隣り合う分割部分の境界に、前記光源の光を反射可能な遮光部を設けたことを特徴としている。
【００１６】
このように構成した本発明のスイッチ用照光部材を有するスイッチ装置は、操作キーを押し操作することにより、可撓性導光板及び可撓性シートを介して、操作キーに対応して配置された可動接点が、この可動接点に対応して設けられた固定接点に接触し、スイッチオンとなる。また、操作キーの押し操作を止めることにより、該当する可動接点が固定接点から離れ、スイッチオフとなる。
【００１７】
また、遮光部によって可撓性導光板の隣り合う分割部分のそれぞれに、これらの分割部分に対応させて配置した光源からの光を個別に入射させることができる。すなわち、分割部分毎に設けた光源の光を、該当する分割部分の照光部に導き、その分割部分に対応する操作キーの底面を他の分割部分に対応する他の操作キーの底面とは独立させて照光し、操作キーのそれぞれに対する照光分離を実現させることができる。
【００１８】
したがって例えば、可撓性導光板の複数の分割部分のうちの一部の分割部分に係る光源のみを作動させることによって、複数の操作キーのうちの前述の一部の分割部分に対応する一部の操作キーのみの照光を実現させることができる。また、一部の分割部分に係る光源の照光と他の分割部分の照光との照光タイミングをずらすことによって、一部の分割部分に対応する一部の操作キーの照光と、他の分割部分に対応する他の操作キーの照光との照光タイミングをずらすことができる。さらに、一部の分割部分に係る光源の照光色と他の分割部分に係る光源の照光色を変えることにより、一部の操作キーに対する照光色と他の操作キーに対する照光色を変えることができる。
【発明の効果】
【００１９】
本発明に係るスイッチ用照光部材、及びスイッチ用照光部材を有するスイッチ装置は、スイッチ用照光部材の可撓性導光板が、複数の分割部分から成り、これらの分割部分のそれぞれに対応させて光源を配置するとともに、隣り合う前記分割部分の境界に、光源の光を反射する遮光部を設けてあることから、従来から要望されていた複数の操作キーのうちの一部の操作キーのみの照光を実現させることができる。また、一部の操作キーの照光と他の操作キーの照光との照光タイミングをずらすことができる。また、一部の操作キーに対する照光色と他の操作キーに対する照光色を変えることができる。これらにより、操作キーに対する照光機能を従来よりも向上させることができ、優れた照光サービスを実現させることができる。
【発明を実施するための最良の形態】
【００２０】
以下，本発明に係るスイッチ用照光部材、及びスイッチ用照光部材を有するスイッチ装置を実施するための最良の形態を図に基づいて説明する。
【００２１】
図１は本発明に係るスイッチ装置の第１実施形態において、蓋ケースを除いた状態を示す平面図、図２は図１に示す第１実施形態の要部拡大側断面図、図３は図１に示す第１実施形態に係るスイッチ装置に備えられる可動接点ユニットの要部拡大側断面図である。
【００２２】
これらの図に示すスイッチ装置は、図１に示すように、光源すなわちＬＥＤ２Ａ，２Ｂ，２Ｃが実装された基板１と、図２に示す蓋ケース４の開口４ａに配置された複数の操作キー３Ａ，３Ｂ，３Ｃと、基板１上に載置された接点付きシート部材５と、この接点付きシート部材５上に積層された可撓性導光板６とによって主に構成されている。接点付きシート部材５および可撓性導光板６は予め積層・一体化されて可動接点ユニット１５として取り扱われる。基板１の上面には、各操作キー３Ａ，３Ｂ，３Ｃの下方に図２に示す固定接点７やコモン接点８が配設されており、両接点７，８は電気的に非導通となるように所定の間隔を存して露出している。また、この基板１には、固定接点７やコモン接点８から導出された図示せぬ配線パターンやスルーホール等が設けられている。ＬＥＤ２Ａ，２Ｂ，２Ｃ例えば図２に示すＬＥＤ２Ａの発光部２ａは、可撓性導光板６の分割部分６Ａの一辺端に沿う側端面６Ａ１に近接状態で対向しており、発光部２ａから出射されて可撓性導光板６の分割部分６Ａ内へ導入された光が、該分割部分６Ａの照光部６Ａ２を介して操作キー３Ａの底面へ投射されるようになっている。他のＬＥＤ２Ｂ，２Ｃにおいても同様であり、これらのＬＥＤ２Ｂ，２Ｃから出射された光が対応する操作キー３Ｂ，３Ｃの底面へ投射されるようになっている。
【００２３】
同図２に示すように、可動接点ユニット１５の接点付きシート部材５は、固定接点７群に接離可能な複数の可動接点９を可撓性シート１０の下面の複数箇所に接着して保持したものである。また、可撓性シート１０の下面のうち、可動接点９群の存しない領域は粘着テープを付設した固定部１１となっており、この固定部（粘着テープ）１１の粘着層１１ａによって可撓性シート１０が基板１に固定されている。ただし、可動接点ユニット１５の保管時や運搬時には固定部１１の粘着層１１ａに図示せぬ剥離テープを貼着しておき、可撓性シート１０を基板１に固定する段階で該剥離テープを剥がして粘着層１１ａを露出させる。この可撓性シート１０の上面には全面に微小な凹凸が多数形成されている。すなわち、可撓性シート１０の上面は、ほぼ全面が可撓性導光板６の下面と略点接触する非密着部１０ａとなっている。この非密着部１０ａは、例えば可撓性シート１０を金型でプレスすることにより金型内に形成した凹凸形状を転写することや、表面を荒らすことによって容易に所望の範囲に形成することができる。
【００２４】
図３に示すように、可動接点９は、ドーム状に成形されて反転時にクリック感を生起する金属製の板ばねから成り、その上面が可撓性シート１０の下面に接着されている。可撓性シート１０が基板１上に位置決めおよび固定されると、図２に示すように、可動接点９の周縁部がコモン接点８に当接して常時導通すると共に、可動接点９の中央部が固定接点７と接離可能に対向する。
【００２５】
可動接点ユニット１５の可撓性導光板６は、例えばウレタンやシリコンなどの透光性に優れた可撓性材料をシート状に成形したものであり、接点付きシート部材５の可撓性シート１０の上面に積層および一体化されている。
【００２６】
可撓性導光板６は、図１に示すように、複数の分割部分、例えば３つの分割部分６Ａ，６Ｂ，６Ｃから成り、これらの分割部分６Ａ，６Ｂ，６Ｃに対応させて前述のＬＥＤ２Ａ，２Ｂ，２Ｃをそれぞれ配置させてある。これらの分割部分６Ａ，６Ｂ，６Ｃの上面には、前述の操作キー３Ａ，３Ｂ，３Ｃのうちの対応する操作キーを配置してあり、分割部分６Ａ，６Ｂ，６Ｃのそれぞれには、操作キー３Ａ，３Ｂ，３Ｃの底面と対向する箇所に、可撓性導光板６を形成する分割部分６Ａ，６Ｂ，６Ｃ内をそれぞれ進む光を屈折させて上方へ投射するための照光部が設けられている。例えば分割部分６Ａには、図２に示すように前述の照光部６Ａ２が設けられている。他の分割部分６Ｂ，６Ｃにおいても同様である。また、分割部分６Ａには、複数の位置決め孔６ｆが形成されており、これらの位置決め孔６ｆを基準に分割部分６Ａが配設されるようになっている。分割部分６Ａ，６Ｂ，６ＣのそれぞれのＬＥＤ２Ａ，２Ｂ，２Ｃ付近の部分は、ＬＥＤ２Ａ，２Ｂ，２Ｃのうちの対応するＬＥＤが入射される入光部６Ａ３，６Ｂ１，６Ｃ１となっている。
【００２７】
図１に示すように、可撓性導光板６の隣り合う分割部分の境界に、すなわち分割部分６Ａと分割部分６Ｂとの境界、及び分割部分６Ａと分割部分６Ｃとの境界に、ＬＥＤ２Ａ，２Ｂ，２Ｃのそれぞれ該当する光を反射する遮光部、例えば分割部分６Ａと分割部分６Ｂとを分離する切断部２０、及び分割部分６Ａと分割部分６Ｃとを分離する切断部２１をそれぞれ設けてある。
【００２８】
また、同図１に示すように、ＬＥＤ２Ａの光の入射方向２Ａ１が切断部２０，２１の延設方向と平行となるようにこのＬＥＤ２Ａを配設してあり、ＬＥＤ２Ｂの光の入射方向２Ｂ１が切断部２０の延設方向と平行となるようにこのＬＥＤ２Ｂを配設してあり、ＬＥＤ２Ｃの光の入射方向２Ｃ１が切断部２１の延設方向と平行となるようにこのＬＥＤ２Ｃを配設してある。
【００２９】
操作キー３Ａ，３Ｂ，３Ｃのそれぞれは、基板１上に載置された可撓性導光板６の分割部分６Ａ，６Ｂ，６Ｃの照光部６Ａ２等の上に昇降可能に搭載されており、図２に示すように蓋ケース４によって抜け止めがなされている。図示していないが、操作キー３Ａ，３Ｂ，３Ｃのそれぞれの上面には文字や記号等が印刷された発光部が設けられており、この発光部が底面側から投射される照光部６Ａ２等の光によって発光するようになっている。
【００３０】
なお、前述したＬＥＤ２Ａ，２Ｂ，２Ｃと、分割部分６Ａ，６Ｂ，６Ｃから成る可撓性導光板６とによって、分割部分６Ａ，６Ｂ，６Ｃのそれぞれの側端面から入射されたＬＥＤ２Ａ，２Ｂ，２Ｃの光を対応する操作キー３Ａ，３Ｂ，３Ｃの底面のそれぞれに照射するスイッチ用照光部材が構成されている。
【００３１】
次に、このように構成されたスイッチ装置の動作について説明する。ユーザが所望の操作キー３Ａ，３Ｂ，３Ｃのうちのいずれかの操作キーを下方へ押し込むと、可撓性導光板６および可撓性シート１０を介して可動接点９が押圧駆動され、操作キーが所定ストローク下降した時点で、可動接点９の中央部が反転して固定接点７に当接する。その結果、可動接点９を介して固定接点７とコモン接点８とが導通され、スイッチオンとなる。また、可動接点９の反転時にクリック感が生起されるため、このクリック感によってユーザは押圧操作が確実に行われたことを感得することができる。なお、操作キーに対する押圧操作力が除去されると、可動接点９は自らの弾性で元のドーム形状に復帰し、可撓性導光板６の対応する分割部分６Ａ，６Ｂ，６Ｃの何れか、及び可撓性シート１０も撓みが解消され、該操作キーは初期位置まで押し上げられる。
【００３２】
このように構成したスイッチ装置の第１実施形態に備えられるスイッチ用照光部材は、可撓性導光板６の分割部分６Ａ，６Ｂ，６Ｃのそれぞれに対応させて配置したＬＥＤ２Ａ，２Ｂ，２Ｃの光を、遮光部２０，２１によって反射させて個別に分割部分６Ａ，６Ｂ，６Ｃのそれぞれに入射させることができる。すなわち、分割部分６Ａ，６Ｂ，６Ｃ毎に設けたＬＥＤ２Ａ，２Ｂ，２Ｃの光を、分割部分６Ａ，６Ｂ，６Ｃのうちの該当する分割部分に導き、その分割部分に対応する操作キー、すなわち操作キー３Ａ，３Ｂ，３Ｃのうちのいずれかの操作キーの底面と、他の分割部分に対応する操作キーの底面とを独立させて照光し、操作キー３Ａ，３Ｂ，３Ｃのそれぞれに対する照光分離を実現させることができる。
【００３３】
例えば、分割部分６Ａ，６Ｂ，６Ｃに係るＬＥＤ２Ａ，２Ｂ，２Ｃを全て作動させれば、これらのＬＥＤ２Ａ，２Ｂ，２Ｃの光を分割部分６Ａ，６Ｂ，６Ｃのそれぞれに導き、全ての操作キー３Ａ，３Ｂ，３Ｃの底面を照射させることができる。
【００３４】
また、可撓性導光板６の分割部分６Ａ，６Ｂ，６Ｃのうちの一部の分割部分、例えば分割部分６Ａに係るＬＥＤ２Ａのみを作動させることによって、分割部分６Ａに対応する操作キー３Ａのみの照光を実現させることができる。同様に分割部分６Ｂに係るＬＥＤ２Ｂのみを作動させることによって、分割部分６Ｂに対応する操作キー３Ｂのみを照光させることができる。また、分割部分６Ｃに係るＬＥＤ２Ｃのみを作動させることによって、分割部分６Ｃに対応する操作キー３Ｃのみを照光させることができる。
【００３５】
また例えば、可撓性導光板６の分割部分６Ａ，６Ｂに係るＬＥＤ２Ａ，２Ｂのみを作動させることによって、分割部分６Ａ，６Ｂに対応する操作キー３Ａ，３Ｂのみの照光を実現させることができる。同様に分割部分６Ａ，６Ｃに係るＬＥＤ２Ａ，２Ｃのみを作動させることによって、分割部分６Ａ，６Ｃに対応する操作キー３Ａ，３Ｃのみを照光させることができる。また、分割部分６Ｂ，６Ｃに係るＬＥＤ２Ｂ，２Ｃのみを作動させることによって、分割部分６Ｂ，６Ｃに対応する操作キー３Ｂ，３Ｃのみを照光させることができる。
【００３６】
また、分割部分６Ａ，６Ｂ，６Ｃに係るＬＥＤ２Ａ，２Ｂ，２Ｃの照光タイミングを一致させることにより、分割部分６Ａ，６Ｂ，６Ｃのそれぞれに対応する操作キー３Ａ，３Ｂ，３Ｃを同じタイミングで照光させることができる。
【００３７】
また例えば、分割部分６Ａに係るＬＥＤ２Ａの照光と、分割部分６Ｂに係るＬＥＤ２Ｂとの照光タイミングをずらすことによって、分割部分６Ａに対応する操作キー３Ａの照光と、分割部分６Ｂに対応する操作キー３Ｂの照光との照光タイミングをずらすことができる。同様に、分割部分６Ａに係るＬＥＤ２Ａの照光と、分割部分６Ｃに係るＬＥＤ２Ｃとの照光タイミングをずらすことによって、分割部分６Ａに対応する操作キー３Ａの照光と、分割部分６Ｃに対応する操作キー３Ｃの照光との照光タイミングをずらすことができる。また、分割部分６Ｂに係るＬＥＤ２Ｂの照光と、分割部分６Ｃに係るＬＥＤ２Ｃとの照光タイミングをずらすことによって、分割部分６Ｂに対応する操作キー３Ｂの照光と、分割部分６Ｃに対応する操作キー３Ｃの照光との照光タイミングをずらすことができる。また、分割部分６Ａ，６Ｂ，６Ｃに係るＬＥＤ２Ａ，２Ｂ，２Ｃの照光タイミングを全てずらすことによって、分割部分６Ａに対応する操作キー３Ａの照光と、分割部分６Ｂに対応する操作キー３Ｂの照光と、分割部分６Ｃに対応する操作キー３Ｃの照光との照光タイミングを全てずらすことができる。
【００３８】
さらに、分割部分６Ａ，６Ｂ，６Ｃに係るＬＥＤ２Ａ，２Ｂ，２Ｃのそれぞれの照光色を同一色とすることにより、分割部分６Ａ，６Ｂ，６Ｃのそれぞれに対応する操作キー３Ａ，３Ｂ，３Ｃに対する照光色を同じにすることができる。
【００３９】
また例えば、分割部分６Ａに係るＬＥＤ２Ａの照光色と分割部分６Ｂに係るＬＥＤ２Ｂの照光色を変えることにより、分割部分６Ａに対応する操作キー３Ａに対する照光色と、分割部分６Ｂに対応する操作キー３Ｂに対応する照光色を変えることができる。同様に、分割部分６Ａに係るＬＥＤ２Ａの照光色と、分割部分６Ｃに係るＬＥＤ２Ｃの照光色を変えることにより、分割部分６Ａに対応する操作キー３Ａに対する照光色と、分割部分６Ｃに対応する操作キー３Ｃに対応する照光色を変えることができる。また、分割部分６Ｂに係るＬＥＤ２Ｂの照光色と、分割部分６Ｃに係るＬＥＤ２Ｃの照光色を変えることにより、分割部分６Ｂに対応する操作キー３Ｂに対する照光色と、分割部分６Ｃに対応する操作キー３Ｃに対応する照光色を変えることができる。
【００４０】
また、分割部分６Ａ，６Ｂ，６Ｃに係るＬＥＤ２Ａ，２Ｂ，２Ｃの照光色を全て異ならせることにより、分割部分６Ａ，６Ｂ，６Ｃに対応する操作キー３Ａ，３Ｂ，３Ｃに対する照光色を全て異ならせることができる。
【００４１】
このように、この第１実施形態によれば、スイッチ用照光部材に含まれる可撓性導光板６が、３つの分割部分６Ａ，６Ｂ，６Ｃから成り、これらの分割部分６Ａ，６Ｂ，６Ｃのそれぞれに対応させてＬＥＤ２Ａ，２Ｂ，２Ｃを配置するとともに、隣り合う分割部分６Ａと６Ｂとの境界、また、分割部分６Ａと６Ｃの境界のそれぞれに、該当するＬＥＤ２Ａ，２Ｂ，２Ｃの光を反射する遮光部、すなわち切断部２０，２１を設けたことから、前述のように操作キー３Ａ，３Ｂ，３Ｃのうちの一部の操作キーのみの照光を実現でき、また、一部の操作キーと他の操作キーの照光タイミングをずらすことができ、また、一部の操作キーに対する照光色と他の操作キーに対する照光色を変えることができる。これらにより、操作キー３Ａ，３Ｂ，３Ｃに対する照光機能を向上させることができ、優れた照光サービスを実現させることができる。
【００４２】
また、この第１実施形態によれば、切断部２０によって分割部分６Ａと分割部分６Ｂとが分離され、分割部分６Ａに係るＬＥＤ２Ａの光を自己の分割部分６Ａに導くことができるとともに、隣り合う分割部分６Ｂに係るＬＥＤ２Ｂの光が分割部分６Ａに導かれないように確実に遮断することができる。また逆に、切断部２０によって分割部分６Ｂに係るＬＥＤ２Ｂの光を自己の分割部分６Ｂに導くことができるとともに、隣り合う分割部分６Ａに係るＬＥＤ２Ａの光が分割部分６Ｂに導かれないように確実に遮断することができる。同様に、切断部２１によって分割部分６Ａと分割部分６Ｃとが分離され、分割部分６Ａに係るＬＥＤ２Ａの光を自己の分割部分６Ａに導くことができるとともに、隣り合う分割部分６Ｃに係るＬＥＤ２Ｃの光が分割部分６Ａに導かれないように確実に遮断することができる。また逆に、切断部２１によって分割部分６Ｃに係るＬＥＤ２Ｃの光を自己の分割部分６Ｃに導くことができるとともに、隣り合う分割部分６Ａに係るＬＥＤ２Ａの光が分割部分６Ｃに導かれないように確実に遮断することができる。これらにより、分割部分６Ａ，６Ｂ，６Ｃのそれぞれに対応する操作キー３Ａ，３Ｂ，３Ｃのそれぞれにおける照光分離を確実に実現させることができる。
【００４３】
また、ＬＥＤ２Ａの光の入射方向２Ａ１が切断部２０，２１の延設方向と平行となるようにＬＥＤ２Ａを配置し、ＬＥＤ２Ｂの光の入射方向２Ｂ１が切断部２０の延設方向と平行となるようにＬＥＤ２Ｂを配置し、ＬＥＤ２Ｃの光の入射方向２Ｃ１が切断部２１の延設方向と平行となるようにＬＥＤ２Ｃを配置したことから、分割部分６Ａ，６Ｂ，６Ｃのそれぞれに係るＬＥＤ２Ａ，２Ｂ，２Ｃの光を、該当する分割部分６Ａ，６Ｂ，６Ｃに精度良く入射させることができ、操作キー３Ａ，３Ｂ，３Ｃに対する優れた照光機能を確保できる。
【００４４】
図４は本発明に係るスイッチ装置の第２実施形態において、蓋ケースを除いた状態を示す平面図である。
【００４５】
この図４に示す第２実施形態に係るスイッチ装置に備えられ、スイッチ用照光部材を構成する可撓性導光板６も、例えば第１実施形態におけるのと同様に３つの分割部分６Ａ，６Ｂ，６Ｃから成り、これらの分割部分６Ａ，６Ｂ，６Ｃのそれぞれに対応させて光源、すなわちＬＥＤ２Ａ，２Ｂ，２Ｃを配置してある。また、隣り合う分割部分６Ａと６Ｂとの境界、及び分割部分６Ａと６Ｃとの境界のそれぞれに、ＬＥＤ２Ａ，２Ｂ，２Ｃのうちの該当するＬＥＤの光を反射する遮光部として、隣り合う分割部分６Ａと６Ｂ、及び分割部分６Ａと６Ｃをそれぞれ底部において接続状態に保持するクリアランス２２，２３を設けてある。クリアランス２２は、分割部分６Ａ，６Ｂの一部を形成する隙間を介して部分的に重複する複数のクリアランス、例えば第１クリアランス２２ａ、第２クリアランス２２ｂ、第３クリアランス２２ｃから成っている。同様に、クリアランス２３は、分割部分６Ａ，６Ｃの一部を形成する隙間を介して部分的に重複する複数のクリアランス、例えば第１クリアランス２３ａ、第２クリアランス２３ｂ、第３クリアランス２３ｃから成っている。
【００４６】
また、ＬＥＤ２Ａの光の入射方向２Ａ１がクリアランス２２，２３の延設方向と平行となるようにこのＬＥＤ２Ａを配設してあり、ＬＥＤ２Ｂの光の入射方向２Ｂ１がクリアランス２２の延設方向と平行となるようにこのＬＥＤ２Ｂを配設してあり、ＬＥＤ２Ｃの光の入射方向２Ｃ１がクリアランス２３の延設方向と平行になるようにこのＬＥＤ２Ｃを配設してある。その他の構成は、前述した第１実施形態の構成と同等である。
【００４７】
このように構成した第２実施形態も、第１実施形態におけるのとほぼ同様に、スイッチ用照光部材に含まれる可撓性導光板６が、３つの分割部分６Ａ，６Ｂ，６Ｃから成り、これらの分割部分６Ａ，６Ｂ，６Ｃのそれぞれに対応させてＬＥＤ２Ａ，２Ｂ，２Ｃを配置するとともに、隣り合う分割部分６Ａと６Ｂの境界、また分割部分６Ａと６Ｃとの境界のそれぞれに、該当するＬＥＤ２Ａ，２Ｂ，２Ｃの光を反射する遮光部、すなわちクリアランス２２，２３を設けたことから、操作キー３Ａ，３Ｂ，３Ｃのうちの一部の操作キーのみの照光を実現でき、また、一部の操作キーと他の操作キーの照光タイミングをずらすことができ、また、一部の操作キーに対する照光色と他の操作キーに対する照光色を変えることができる。これらにより、操作キー３Ａ，３Ｂ，３Ｃに対する照光機能を向上させることができ、優れた照光サービスを実現させることができる。
【００４８】
また、クリアランス２２，２３を設けてあるものの、隣り合う分割部分６Ａと６Ｂ、及び分割部分６Ａと６Ｃのそれぞれは、クリアランス２２，２３の底部において接続状態に保たれるので、これらの分割部分６Ａ，６Ｂ，６Ｃを含む可撓性導光板６の取り扱いを簡単に行なうことができる。
【００４９】
さらに、クリアランス２２は、第１クリアランス２２ａと第２クリアランス２２ｂとの重複する部分、及び第２クリアランス２２ｂと第３クリアランス２２ｃとの重複する部分のそれぞれに、分割部分６Ａ，６Ｂの一部を隙間として存在させることができる。同様に、クリアランス２３は、第１クリアランス２３ａと第２クリアランス２３ｂとの重複する部分、及び第２クリアランス２３ｂと第３クリアランス２３ｃとの重複する部分のそれぞれに、分割部分６Ａ，６Ｃの一部を隙間として存在させることができる。これらによって、クリアランス２２，２３の形成に伴う可撓性導光板６の強度低下を抑えることができる。
【００５０】
図５は本発明に係るスイッチ装置の第３実施形態において、蓋ケースを除いた状態を示す平面図である。
【００５１】
この図５に示す第３実施形態に係るスイッチ装置に備えられ、スイッチ用照光部材を構成する可撓性導光板６は、２つの分割部分６Ｄ，６Ｅから成っている。分割部分６Ｄの平面形状は長方形に形成してあり、分割部分６Ｅの平面形状は、互いに連設される縦方向に延設される部分６ＥＡと、横方向に延設される部分６ＥＢとから成るＬ字形状に形成してある。
【００５２】
また、分割部分６Ｄに対応させて光源２Ｄを配置してあり、分割部分６Ｅの部分６ＥＡに対応させて光源２Ｅ１を配置してあり、分割部分６Ｅの部分６ＥＢに対応させて光源２Ｅ２を配置してある。分割部分６Ｄ，６ＥのそれぞれのＬＥＤ２Ｄ，２Ｅ１，２Ｅ２付近の部分は、ＬＥＤ２Ｄ，２Ｅ１，２Ｅ２のうちの対応するＬＥＤが入射される入光部６Ｄ１，６Ｅ１，６Ｅ２となっている。
【００５３】
また、隣り合う分割部分６Ｄと、分割部分６Ｅを構成する部分６ＥＡとの境界、及び分割部分６Ｄと、分割部分６Ｅを構成する部分６ＥＢとの境界のそれぞれに、ＬＥＤ２Ｄ，２Ｅ１，２Ｅ２のうちの該当するＬＥＤの光を反射する遮光部として、分割部分６Ｄと、分割部分６Ｅの部分６ＥＡとを分離する部分２４Ａ、及び分割部分６Ｄと、分割部分６Ｅの部分６ＥＢとを分離する部分２４Ｂを有する切断部２４を設けてある。
【００５４】
また、ＬＥＤ２Ｄの光の入射方向２Ｄ１が切断部２４の部分２４Ａの延設方向と平行になるようにこのＬＥＤ２Ｄを配設してあり、ＬＥＤ２Ｅ１の光の入射方向２Ｅ１ａが切断部２４の部分２４Ａの延設方向と平行となるように、このＬＥＤ２Ｅ１を配設してあり、ＬＥＤ２Ｅ２の光の入射方向２Ｅ２ａが切断部２４の部分２４Ｂの延設方向と平行となるように、このＬＥＤ２Ｅ２を配置してある。その他の構成は、前述した第１実施形態の構成と同等である。
【００５５】
このように構成した第３実施形態も、スイッチ用照光部材に含まれる可撓性導光板６が、２つの分割部分６Ｄ，６Ｅから成り、分割部分６Ｄに対応させてＬＥＤ２Ｄを配置し、分割部分６Ｅの部分６ＥＡ，６ＥＢのそれぞれに対応させてＬＥＤ２Ｅ１，２Ｅ２を配置するとともに、分割部分６Ｄと、分割部分６Ｅの部分６ＥＡとの境界、及び分割部分６Ｄと、分割部分６Ｅの部分６ＥＢとの境界のそれぞれに、該当するＬＥＤ２Ｄ，２Ｅ１，２Ｅ２の光を反射する遮光部、すなわち切断部２４を設けたことから、操作キー３Ｄ，３Ｅのうちの一方の操作キーのみの照光を実現でき、また、一方の操作キーと他方の操作キーの照光タイミングをずらすことができ、また、操作キー３Ｄに対応する照光色と操作キー３Ｅに対応する照光色を変えることができる。これらにより、分割部分６Ｄに対応する操作キー３Ｄ、及び分割部分６Ｅに対応する操作キー３Ｅに対する照光機能を向上させることができ、優れた照光サービスを実現させることができる。
【００５６】
また、切断部２４によって分割部分６Ｄと分割部分６Ｅとが分割され、分割部分６Ｄに係るＬＥＤ２Ｄの光を自己の分割部分６Ｄに導くことができ、隣り合う分割部分６Ｅに係るＬＥＤ２Ｅ１，２Ｅ２の光が分割部分６Ｄに導かれないように確実に遮断することができる。また逆に、切断部２４によって分割部分６Ｅに係るＬＥＤ２Ｅ１，２Ｅ２の光を自己の分割部分６Ｅに導くことができるとともに、隣り合う分割部分６Ｄに係るＬＥＤ２Ｄの光が分割部分６Ｅに導かれないように確実に遮断することができる。これらにより、分割部分６Ｄ，６Ｅのそれぞれに対応する操作キー３Ｄ，３Ｅのそれぞれにおける照光分離を確実に実現させることができる。
【００５７】
また、ＬＥＤ２Ｄの光の入射方向２Ｄ１が切断部２４の部分２４Ａの延設方向と平行となるようにＬＥＤ２Ｄを配置し、ＬＥＤ２Ｅ１の入射方向２Ｅ１ａが切断部２４の部分２４Ａの延設方向と平行になるようにＬＥＤ２Ｅ１を配置し、ＬＥＤ２Ｅ２の入射方向２Ｅ２ａが切断部２４の部分２４Ｂの延設方向と平行となるようにＬＥＤ２Ｅ２を配置したことから、分割部分６Ｄ，６Ｅに係るＬＥＤ２Ｄ，ＬＥＤ２Ｅ１，ＬＥＤ２Ｅ２の光を、該当する分割部分６Ｄ，６Ｅに精度良く入射させることができ、操作キー３Ｄ，３Ｅに対する優れた照光機能を確保できる。
【００５８】
図６は本発明に係るスイッチ装置の第４実施形態において、蓋ケースを除いた状態を示す平面図である。
【００５９】
この図６に示す第４実施形態に係るスイッチ装置に備えられ、スイッチ用照光部材を構成する可撓性導光板６も、例えば第１実施形態におけるのと同様に３つの分割部分６Ｆ，６Ｇ，６Ｈから成り、これらの分割部分６Ｆ，６Ｇ，６Ｈのそれぞれに対応させて光源、すなわちＬＥＤ２Ｆ，２Ｇ，２Ｈを配置してある。また、隣り合う分割部分６Ｆ，６Ｇ，６Ｈに係る該当するＬＥＤの光を反射する遮光部として、隣り合う分割部分６Ｆと６Ｇ、及び分割部分６Ｆと６Ｈをそれぞれ分離する切断部２５，２６を設けてある。
【００６０】
分割部分６Ｆ，６Ｇ，６ＨのそれぞれのＬＥＤ２Ｆ，２Ｇ，２Ｈ付近の部分は、ＬＥＤ２Ｆ，２Ｇ，２Ｈのうちの対応するＬＥＤが入射される入光部６Ｆ１，６Ｇ１，６Ｈ１となっている。
【００６１】
分割部分６ＧのＬＥＤ２Ｇから遠い端部付近には、ＬＥＤ２Ｇの光の入射方向２Ｇ１に対して臨界角以下の傾きを持つ傾斜部６Ｇ２を形成してあり、分割部分６ＦのＬＥＤ２Ｆから遠い端部付近には、分割部分６Ｇの傾斜部６Ｇ２に対向する末広がりの傾斜部６Ｆ２ａを形成してある。同様に、分割部分６ＨのＬＥＤ２Ｈから遠い端部付近には、ＬＥＤ２Ｈの光の入射方向２Ｈ１に対して臨界角以下の傾きを持つ傾斜部６Ｈ２を形成してあり、分割部分６ＦのＬＥＤ２Ｆから遠い端部付近には、分割部分６Ｈの傾斜部６Ｈ２に対向する末広がりの傾斜部６Ｆ２ｂを形成してある。前述した切断部２５は、分割部分６Ｆの傾斜部６Ｆ２ａと分割部分６Ｇの傾斜部６Ｇ２との境界部分も含めて形成されている。同様に、前述した切断部２６は、分割部分６Ｆの傾斜部６Ｆ２ｂと分割部分６Ｈの傾斜部６Ｈ２との境界部分も含めて形成されている。その他の構成は、前述した第１実施形態と同等である。
【００６２】
このように構成した第４実施形態も、第１実施形態におけるのとほぼ同様に、スイッチ用照光部材に含まれる可撓性導光板６が、３つの分割部分６Ｆ，６Ｇ，６Ｈから成り、これらの分割部分６Ｆ，６Ｇ，６Ｈのそれぞれに対応させてＬＥＤ２Ｆ，２Ｇ，２Ｈを配置するとともに、隣り合う分割部分６Ｆと６Ｇの境界、また分割部分６Ｆと６Ｈの境界のそれぞれに、該当するＬＥＤ２Ｆ，２Ｇ，２Ｈの光を反射する遮光部、すなわち切断部２５，２６を設けたことから、操作キー３Ｆ，３Ｇ，３Ｈのうちの一部の操作キーのみの照光を実現でき、また、一部の操作キーと他の操作キーの照光タイミングをずらすことができ、また、一部の操作キーに対する照光色と他の操作キーに対する照光色を変えることができる。これらにより、操作キー３Ｆ，３Ｇ，３Ｈに対する照光機能を向上させることができ、優れた照光サービスを実現させることができる。
【００６３】
また、ＬＥＤ２Ｇの光が分割部分６Ｇの傾斜部６Ｇ２においても全反射し、ＬＥＤ２Ｈの光が分割部分６Ｈの傾斜部６Ｈ２においても全反射するので、ＬＥＤ２Ｇの光を分割部分６Ｇに、またＬＥＤ２Ｈの光を分割部分６Ｈにそれぞれ良好に導くことができ、操作キー３Ｇ，３Ｈの照光も含めて全ての操作キー３Ｆ，３Ｇ，３Ｈの優れた照光機能を確保することができる。また、分割部分６Ｇに傾斜部６Ｇ２を、分割部分６Ｈに傾斜部６Ｈ２を、また分割部分６Ｆに傾斜部６Ｆ２ａ，６Ｆ２ｂを設けることができるので、各分割部分６Ｆ，６Ｇ，６Ｈの形状設定に対する自由度を高めることができる。
【図面の簡単な説明】
【００６４】
【図１】本発明に係るスイッチ装置の第１実施形態において、蓋ケースを除いた状態を示す平面図である。
【図２】図１に示す第１実施形態の要部拡大側断面図である。
【図３】図１に示す第１実施形態に係るスイッチ装置に備えられる可動接点ユニットの要部拡大側断面図である。
【図４】本発明に係るスイッチ装置の第２実施形態において、蓋ケースを除いた状態を示す平面図である。
【図５】本発明に係るスイッチ装置の第３実施形態において、蓋ケースを除いた状態を示す平面図である。
【図６】本発明に係るスイッチ装置の第４実施形態において、蓋ケースを除いた状態を示す平面図である。
【符号の説明】
【００６５】
１    基板
２Ａ  ＬＥＤ（光源）
２Ａ１  入射方向
２Ｂ  ＬＥＤ（光源）
２Ｂ１  入射方向
２Ｃ  ＬＥＤ（光源）
２Ｃ１  入射方向
２Ｄ  ＬＥＤ（光源）
２Ｄ１  入射方向
２Ｅ１  ＬＥＤ（光源）
２Ｅ１ａ  入射方向
２Ｅ２  ＬＥＤ（光源）
２Ｅ２ａ  入射方向
２Ｆ  ＬＥＤ（光源）
２Ｆ１  入射方向
２Ｇ  ＬＥＤ（光源）
２Ｇ１  入射方向
２Ｈ  ＬＥＤ（光源）
２Ｈ１  入射方向
３Ａ  操作キー
３Ｂ  操作キー
３Ｃ  操作キー
３Ｄ  操作キー
３Ｅ  操作キー
３Ｆ  操作キー
３Ｇ  操作キー
３Ｈ  操作キー
５    接点付きシート部材
６    可撓性導光板
６Ａ  分割部分
６Ａ１  側端面
６Ａ２  照光部
６Ｂ  分割部分
６Ｃ  分割部分
６Ｄ  分割部分
６Ｅ  分割部分
６ＥＡ  部分
６ＥＢ  部分
６Ｆ  分割部分
６Ｆ２ａ  傾斜部
６Ｆ２ｂ  傾斜部
６Ｇ  分割部分
６Ｇ２  傾斜部
６Ｈ  分割部分
６Ｈ２  傾斜部
７    固定接点
８    コモン接点
９    可動接点
１０    可撓性シート
１５    可動接点ユニット
２０    切断部（遮光部）
２１    切断部（遮光部）
２２    クリアランス（遮光部）
２２ａ  第１クリアランス
２２ｂ  第２クリアランス
２２ｃ  第３クリアランス
２３    クリアランス（遮光部）
２３ａ  第１クリアランス
２３ｂ  第２クリアランス
２３ｃ  第３クリアランス
２４    切断部（遮光部）
２４Ａ  部分
２４Ｂ  部分
２５    切断部（遮光部）
２６    切断部（遮光部）
【図１】
2009117233.tif 000003
【図２】
2009117233.tif 000004
【図３】
2009117233.tif 000005
【図４】
2009117233.tif 000006
【図５】
2009117233.tif 000007
【図６】
2009117233.tif 000008